【事件の表示】
　平成　５年特許願第１２０７０９号「カラオケ装置」拒絶査定不服審判事件〔平成　６年１１月　４日出願公開、特開平　６−３０８９９１、請求項の数（４）〕について、次のとおり審決する。
【結　論】
　原査定を取り消す。
　本願の発明は、特許すべきものとする。
【理　由】
１．手続の経緯・本願発明
　本願は、平成５年４月２３日の出願であって、その発明は、平成１４年９月９日付け及び平成１４年１２月２４日付けで補正された明細書及び図面の記載からみて、その請求項１ないし４に係る発明は、その特許請求の範囲の請求項１ないし４に記載されたものであるところ、そのうち、請求項１ないし２に係る発明は、次に掲げるものである。
「【請求項１】音源演奏情報及び表示文字列情報を含む曲データであって、前記音源演奏情報及び表示文字列情報が共に時間情報及びイベント情報を備えている曲データを記憶する記憶手段と、
　前記曲データ中の音源演奏情報のイベント情報により前記時間情報で指定されたタイミングで駆動されて演奏曲の楽音信号を合成する楽音合成手段と、
　各種画像を表示するモニタと、
　前記曲データ中の表示文字列情報のイベント情報により前記時間情報で指定されたタイミングで駆動されて前記モニタに演奏曲の歌詞画像を順次表示すると共にモニタの歌詞画像の近傍にコード名を順次表示する表示制御手段と
　を備え、
　前記曲データに含まれる表示文字列情報には、和音コードＩＤによって識別可能な和音コード情報が含まれ、
　前記表示制御手段は、前記和音コード情報に基づいて前記モニタに表示されるコード名を決定するものである
　ことを特徴とするカラオケ装置。
【請求項２】音源演奏情報及び表示文字列情報を含む曲データであって、
前記音源演奏情報及び表示文字列情報が共に時間情報及びイベント情報を備えている曲データを記憶する記憶手段と、
　前記曲データ中の音源演奏情報のイベント情報により前記時間情報で指定されたタイミングで駆動されて演奏曲の楽音信号を合成する楽音合成手段と、
　各種画像を表示するモニタと、
　前記曲データ中の表示文字列情報のイベント情報により前記時間情報で指定されたタイミングで駆動されて前記モニタに演奏曲の歌詞画像を順次表示すると共に前記歌詞画像の近傍にコード名を順次表示する表示制御手段と
　を備え、
　前記曲データに含まれる表示文字列情報には、和音コードＩＤによって識別可能な和音コード情報が含まれ、
　前記表示制御手段は、トランスポーズ指定されたとき、前記和音コード情報とトランスポーズの値とに基づいて前記モニタに表示するコード名を決定するものである
　ことを特徴とするカラオケ装置。」
　
２．刊行物
　原査定の拒絶理由で引用された刊行物１ないし３は次に掲げるものである。
　　刊行物１：特開平４−１３１８８号公報
　　刊行物２：特開昭６４−５５５６６号公報
　　刊行物３：特開昭５９−１１００８３号公報
　刊行物１には、カラオケ装置の改良に関し、「多数の楽曲の発音タイミング情報及びテンポ情報を含む楽音情報が格納された楽音情報記憶媒体と、指定された楽曲についての楽音情報を前記楽音情報記憶媒体から読み出して出力する中央処理部と、この中央処理部から送出された楽音情報を受けその楽音情報に基づき伴奏音信号の再生出力を行う楽音情報変換手段と、一又は二以上の楽器の楽器音信号を出力する楽器音発生手段を有し任意に指定された楽器音信号を前記楽器情報記憶媒体からの発音タイミング情報及びテンポ情報に対応するように調整して出力する楽器音発生部と、前記楽器情報変換手段から出力される楽器音信号とを合成して拡張再生する合奏音再生手段と、を備えることを特徴とする楽器音合奏機能付きカラオケ装置。」（特許請求の範囲）が記載されている。
　刊行物２には、楽譜版下作成装置に関し、「次に第６図のフローチャートに基づき、レイアウト変更の手順を示す。初めにオペレーターが楽譜のレイアウトに関する初期値を設定すると（Ｓ１）、それに基づいて画面上に段情報、アコレード情報、及び五線情報が表示される（Ｓ２）。次にオペレーターが音譜情報、文字情報、歌詞情報、記号情報、ギターコード情報等をピアノキーボード及びファンクションキーボードにより入力すると同時に画面上に自動的に表示されていく（Ｓ３）。こうしてオペレーターは画面上で作成された楽譜を検討しながらレイアウトの変更が必要か否かを判断する（Ｓ４）。」（公報第４頁左下欄８行〜２０行）が記載されている。
　刊行物３には、カラオケ装置に関し、「録音テープに楽器演奏音、歌詞及び楽譜を記録しこれを再生するものであって、前記楽器演奏音の再生音程を可変設定する手段と、該設定された音程変換度数に応じて前記楽譜の旋律を移調する手段と、前記歌詞及び前記旋律を移調した楽譜を同時に可視表示する手段とを備えてなることを特徴とするカラオケ装置。」（特許請求の範囲）が記載されている。
　
３．当審の判断
　本願各発明と刊行物１ないし３に記載された発明を対比する。
　請求項１及び２に係る発明は、いずれも、
（ア）「曲データ中の表示文字列情報のイベント情報により前記時間情報で指定されたタイミングで駆動されて前記モニタに演奏曲の歌詞画像を順次表示すると共にモニタの歌詞画像の近傍にコード名を順次表示する表示制御手段」を要件とし、かつ、各々、
（イー１）「前記曲データに含まれる表示文字列情報には、和音コードＩＤによって識別可能な和音コード情報が含まれ、前記表示制御手段は、前記和音コード情報に基づいて前記モニタに表示されるコード名を決定するものである」（請求項１）、
（イー２）「前記曲データに含まれる表示文字列情報には、和音コードＩＤによって識別可能な和音コード情報が含まれ、前記表示制御手段は、トランスポーズ指定されたとき、前記和音コード情報とトランスポーズの値とに基づいて前記モニタに表示するコード名を決定するものである」（請求項２）
点を要件とするものである。
　また、請求項３及び４は請求項１又は２を引用するから、請求項３及び４に係る発明も、上記点を要件とするものである。
　しかるに、刊行物１には、上記記載事項から、カラオケ伴奏音楽を、記憶媒体に予め記憶された伴奏音に任意の種類の楽器音を加えて合奏音とすることが開示されているにすぎず、上記要件とは関係がないものである。
　また、刊行物２には、上記記載事項から、楽譜上に音符情報、文字情報、歌詞情報、ギターコード情報等がレイアウト表示されることが開示されているに止まり、刊行物２の記載内容は、上記要件を開示するものではなく、またこれを示唆するものでもない。
　そして、刊行物３には、上記記載事項から、音程変換時、表示すべき楽譜として旋律を移調した楽譜を歌詞と共に表示することが開示されているに止まり、上記要件（ア）を前提とし、そのコード名の決定のために上記要件（イー２）で規定する「トランスポーズ指定されたとき、前記和音コード情報とトランスポーズの値とに基づいて前記モニタに表示されるコード名を決定する」ことについては全く開示や示唆がない。
　そうすると、上記要件は上記刊行物１ないし３導き出せるものとはいえないし、刊行物１ないし３を組合せることにより導き出せるものともいえない。
　したがって、本願各発明は、上記刊行物１ないし３に記載された発明から容易に発明をすることができたものとはいえない。
　
３．むすび
　以上のとおりであるから、本願発明を特許法第２９条第２項の規定により特許を受けることができないとした原査定の理由によっては本願を拒絶することはできない。
　また、他に本願を拒絶すべき理由を発見しない。
　よって、結論のとおり審決する。